【手続補正書】
【提出日】平成29年4月20日(2017.4.20)
【手続補正１】
【補正対象書類名】特許請求の範囲
【補正対象項目名】全文
【補正方法】変更
【補正の内容】
【特許請求の範囲】
【請求項１】
下記式（Ｉ）で示される重合性化合物を重合して得られる高分子を構成材料とする光学フィルム。
【化１】
2017032987.tif 000001
〔式中、Ｙ１〜Ｙ６はそれぞれ独立して、化学的な単結合、−Ｏ−、−Ｓ−、−Ｏ−Ｃ（＝Ｏ）−、−Ｃ（＝Ｏ）−Ｏ−、−Ｏ−Ｃ（＝Ｏ）−Ｏ−、−ＮＲ１−Ｃ（＝Ｏ）−、−Ｃ（＝Ｏ）−ＮＲ１−、−Ｏ−Ｃ（＝Ｏ）−ＮＲ１−、−ＮＲ１−Ｃ（＝Ｏ）−Ｏ−、−ＮＲ１−Ｃ（＝Ｏ）−ＮＲ１−、−Ｏ−ＮＲ１−、又は、−ＮＲ１−Ｏ−を表す。ここで、Ｒ１は、水素原子又は炭素数１〜６のアルキル基を表す。
Ｇ１、Ｇ２はそれぞれ独立して、置換基を有していてもよい炭素数１〜２０の２価の脂肪族基を表す〔該脂肪族基には、−Ｏ−、−Ｓ−、−Ｏ−Ｃ（＝Ｏ）−、−Ｃ（＝Ｏ）−Ｏ−、−Ｏ−Ｃ（＝Ｏ）−Ｏ−、−ＮＲ２−Ｃ（＝Ｏ）−、−Ｃ（＝Ｏ）−ＮＲ２−、−ＮＲ２−、又は、−Ｃ（＝Ｏ）−が介在していてもよい。ただし、−Ｏ−又は−Ｓ−がそれぞれ２以上隣接して介在する場合を除く。ここで、Ｒ２は、水素原子又は炭素数１〜６のアルキル基を表す。〕。
Ｚ１、Ｚ２はそれぞれ独立して、ハロゲン原子で置換されていてもよい炭素数２〜１０のアルケニル基を表す。
Ａｘは芳香族炭化水素環及び芳香族複素環からなる群から選ばれる少なくとも一つの芳香環を有する、炭素数２〜３０の有機基を表す。
Ａｙは水素原子、置換基を有していてもよい炭素数１〜２０のアルキル基、置換基を有していてもよい炭素数２〜２０のアルケニル基、置換基を有していてもよい炭素数３〜１２のシクロアルキル基、−Ｃ（＝Ｏ）−Ｒ３、−ＳＯ２−Ｒ６、又は、芳香族炭化水素環及び芳香族複素環からなる群から選ばれる少なくとも一つの芳香環を有する、炭素数２〜３０の有機基を表す。
前記Ａｘ及びＡｙが有する芳香環は置換基を有していてもよい。
また、前記ＡｘとＡｙは一緒になって、環を形成していてもよい。ここで、Ｒ３は、置換基を有していてもよい炭素数１〜２０のアルキル基、置換基を有していてもよい炭素数２〜２０のアルケニル基、又は、置換基を有していてもよい炭素数３〜１２のシクロアルキル基を表し、Ｒ６は、炭素数１〜２０のアルキル基、炭素数２〜２０のアルケニル基、フェニル基、又は、４−メチルフェニル基を表す。
Ａ１は、置換基を有していてもよい三価の芳香族基を表す。
Ａ２、Ａ３はそれぞれ独立して、置換基を有していてもよい炭素数６〜３０の二価の芳香族基を表す。
Ｑ１は、水素原子、又は、置換基を有していてもよい炭素数１〜６のアルキル基を表す。〕
【請求項２】
下記式（３）
【化２】
2017032987.tif 000002
〔式中、Ａｘは、少なくとも１つの芳香環を有する炭素数２〜３０の有機基を表し、前記芳香環は、下記式で表される構造から選ばれ、且つ、置換基を有していても良い。
Ｅは、−ＮＲ５−、酸素原子又は硫黄原子を表し、Ｒ５は水素原子又は炭素数１〜６のアルキル基を表す。
Ｘ、Ｙ、Ｚは、それぞれ独立して−ＮＲ５−、酸素原子、硫黄原子、−ＳＯ−又は、−ＳＯ２−を表す。ただし、酸素原子、硫黄原子、−ＳＯ−又は、−ＳＯ２−が、それぞれ隣接する場合を除く。
【化３】
2017032987.tif 000003
Ａｙは、置換基を有していてもよい炭素数１〜２０のアルキル基、置換基を有していてもよい炭素数２〜２０のアルケニル基、置換基を有していてもよい炭素数３〜１２のシクロアルキル基、−Ｃ（＝Ｏ）−Ｒ３、又は、−ＳＯ２−Ｒ６を表す。
ここでＲ３は、置換基を有していてもよい炭素数１〜２０のアルキル基、置換基を有していてもよい炭素数２〜２０のアルケニル基、又は、置換基を有していてもよい炭素数３〜１２のシクロアルキル基を表し、Ｒ６は、炭素数１〜２０のアルキル基、炭素数２〜２０のアルケニル基、フェニル基、又は、４−メチルフェニル基を表す。〕で表されるヒドラジン化合物。
【請求項３】
下記式（３）
【化４】
2017032987.tif 000004
〔式中、Ａｘは、少なくとも一つの芳香環を有する炭素数２〜３０の有機基を表し、該芳香環は、下記式で表される構造から選ばれ、且つ、置換基を有していても良い。
【化５】
2017032987.tif 000005
Ａｙは、少なくとも一つの芳香環を有する炭素数２〜３０の有機基を表し、該芳香環は、下記式で表される構造から選ばれ、且つ、置換基を有していても良い。
【化６】
2017032987.tif 000006
Ｅは、−ＮＲ５−、酸素原子又は硫黄原子を表し、Ｒ５は水素原子又は炭素数１〜６のアルキル基を表す。
Ｘ、Ｙ、Ｚは、それぞれ独立して−ＮＲ５−、酸素原子、硫黄原子、−ＳＯ−又は、−ＳＯ２−を表す（ただし、酸素原子、硫黄原子、−ＳＯ−又は、−ＳＯ２−が、それぞれ隣接する場合を除く）。〕で表されるヒドラジン化合物。
【請求項４】
下記式（３）
【化７】
2017032987.tif 000007
〔式中、Ａｘは、少なくとも１つの芳香環を有する炭素数２〜３０の有機基を表し、該芳香環は、下記式で表される構造から選ばれ、且つ、置換基を有していても良い。
【化８】
2017032987.tif 000008
Ａｙは、少なくとも１つの芳香環を有する炭素数２〜３０の有機基を表し、該芳香環は、下記式で表される構造から選ばれ、且つ、置換基を有していても良い。
【化９】
2017032987.tif 000009
Ｅは、−ＮＲ５−、酸素原子又は硫黄原子を表し、Ｒ５は水素原子又は炭素数１〜６のアルキル基を表す。
Ｘ、Ｙ、Ｚは、それぞれ独立して−ＮＲ５−、酸素原子、硫黄原子、−ＳＯ−又は、−ＳＯ２−を表す（ただし、酸素原子、硫黄原子、−ＳＯ−又は、−ＳＯ２−が、それぞれ隣接する場合を除く）。〕で表されるヒドラジン化合物。
【請求項５】
下記式（３）
【化１０】
2017032987.tif 000010
〔式中、ＡｘとＡｙは一緒になって環を形成しており、前記環は、置換基を有していても良い炭素数４〜３０の不飽和複素環、又は、炭素数６〜３０の不飽和炭素環を表す。〕で表されるヒドラジン化合物。
【請求項６】
前記式（３）中の−ＮＡｘＡｙで表される部分が、置換基を有していてもよい下記式の何れかであり、式中、Ｘ、Ｙ、Ｚは、それぞれ独立して−ＮＲ５−、酸素原子、硫黄原子、−ＳＯ−又は、−ＳＯ２−を表す（ただし、酸素原子、硫黄原子、−ＳＯ−又は、−ＳＯ２−が、それぞれ隣接する場合を除く）、請求項５記載のヒドラジン化合物。
【化１１】
2017032987.tif 000011
【請求項７】
下記式（Ｈ）、（Ｌ）、（Ｓ）、（Ｎ）、（Ｕ）、（Ｗ）、（Ｙ）、（ａ）、（ｈ）、（ｊ）、および（ｎ）のいずれかで表されるヒドラジン化合物。
【化１２】
2017032987.tif 000012
【請求項８】
下記式（３）で表されるヒドラジン化合物をカルボニル化合物と反応させ、重合性化合物を得る工程と、基板上に配向膜を形成する工程と、前記配向膜上に、前記重合性化合物、又は、前記重合性化合物及び重合開始剤を含有する重合性組成物を重合して得られる高分子からなる液晶層を形成する工程と、を含む、光学異方体の製造方法。
【化１３】
2017032987.tif 000013
〔式中、Ａｘは芳香族炭化水素環及び芳香族複素環からなる群から選ばれる少なくとも一つの芳香環を有する、炭素数２〜３０の有機基を表し、
Ａｙは水素原子、置換基を有していてもよい炭素数１〜２０のアルキル基、置換基を有していてもよい炭素数２〜２０のアルケニル基、置換基を有していてもよい炭素数３〜１２のシクロアルキル基、−Ｃ（＝Ｏ）−Ｒ３、−ＳＯ２−Ｒ６、又は、芳香族炭化水素環及び芳香族複素環からなる群から選ばれる少なくとも一つの芳香環を有する、炭素数２〜３０の有機基を表す。
前記Ａｘ及びＡｙが有する芳香環は置換基を有していてもよい。
また、前記Ａｘ及びＡｙは一緒になって、環を形成してもよい。ここでＲ３は、置換基を有していてもよい炭素数１〜２０のアルキル基、置換基を有していてもよい炭素数２〜２０のアルケニル基、又は、置換基を有していてもよい炭素数３〜１２のシクロアルキル基を表し、Ｒ６は、炭素数１〜２０のアルキル基、炭素数２〜２０のアルケニル基、フェニル基、又は、４−メチルフェニル基を表す。〕
【請求項９】
下記式（３）で表されるヒドラジンン化合物を重合性化合物の原料として使用する方法。
【化１４】
2017032987.tif 000014
〔式中、Ａｘは芳香族炭化水素環及び芳香族複素環からなる群から選ばれる少なくとも一つの芳香環を有する、炭素数２〜３０の有機基を表し、
Ａｙは水素原子、置換基を有していてもよい炭素数１〜２０のアルキル基、置換基を有していてもよい炭素数２〜２０のアルケニル基、置換基を有していてもよい炭素数３〜１２のシクロアルキル基、−Ｃ（＝Ｏ）−Ｒ３、−ＳＯ２−Ｒ６、又は、芳香族炭化水素環及び芳香族複素環からなる群から選ばれる少なくとも一つの芳香環を有する、炭素数２〜３０の有機基を表す。
前記Ａｘ及びＡｙが有する芳香環は置換基を有していてもよい。
また、前記Ａｘ及びＡｙは一緒になって、環を形成してもよい。ここでＲ３は、置換基を有していてもよい炭素数１〜２０のアルキル基、置換基を有していてもよい炭素数２〜２０のアルケニル基、又は、置換基を有していてもよい炭素数３〜１２のシクロアルキル基を表し、Ｒ６は、炭素数１〜２０のアルキル基、炭素数２〜２０のアルケニル基、フェニル基、又は、４−メチルフェニル基を表す。〕
【請求項１０】
下記化合物を重合性化合物の原料として使用する方法。
【化１５】
2017032987.tif 000015
【請求項１１】
前記重合性化合物が液晶性化合物である請求項９又は１０に記載の方法。